(57)【要約】【課題】タッチスクリーンを用いる文字入力の技術を改善すること。【解決手段】電子機器（例えば、スマートフォン）１は、複数の第１キーが対応付けられた第１キー領域と複数の第２キーが対応付けられた第２キー領域とを含むタッチスクリーンと、タッチスクリーンの第１キー領域と第２キー領域で検出したキーに対する操作に基づいて文字入力処理を実行するコントローラと、備え、第１キー領域は、タッチスクリーンの第１の縁に沿った領域であり、複数の第１キーは、第１の縁に沿って並び、第２キー領域は、タッチスクリーンの第１の縁とは異なる第２の縁に沿った領域であり、複数の第２キーは、第２の縁に沿って並ぶ。【選択図】図４
2020035484.tif 000002
【特許請求の範囲】
【請求項１】
複数の第１キーが対応付けられた第１キー領域と複数の第２キーが対応付けられた第２キー領域とを含むタッチスクリーンと、
前記タッチスクリーンの前記第１キー領域と前記第２キー領域で検出したキーに対する操作に基づいて文字入力処理を実行するコントローラと、
を備え、
前記第１キー領域は、前記タッチスクリーンの第１の縁に沿った領域であり、
複数の前記第１キーは、前記第１の縁に沿って並び、
前記第２キー領域は、前記タッチスクリーンの前記第１の縁とは異なる第２の縁に沿った領域であり、
複数の前記第２キーは、前記第２の縁に沿って並ぶ電子機器。
【請求項２】
前記タッチスクリーンは、２つ以上の辺を備え、
前記第１キー領域は、前記タッチスクリーンの第１の辺に沿った領域であり、
前記第２キー領域は、前記タッチスクリーンの前記第１の辺とは異なる第２の辺に沿った領域である請求項１に記載の電子機器。
【請求項３】
筐体と、
複数の第１キーが対応付けられた第１キー領域と複数の第２キーが対応付けられた第２キー領域とを含むタッチスクリーンと、
前記タッチスクリーンの前記第１キー領域と前記第２キー領域で検出した操作に基づいて処理を実行するコントローラと、
を備え、
前記第１キー領域は、前記筐体の第１の縁に沿った領域であり、
複数の前記第１キーは、前記筐体に沿って並び、
前記第２キー領域は、前記筐体の前記第１の縁とは異なる第２の縁に沿った領域であり、
複数の前記第２キーは、前記第２の縁に沿って並ぶ電子機器。
【請求項４】
前記筐体は、２つ以上の辺を備え、
前記第１キー領域は、前記筐体の第１の辺に沿った領域であり、
前記第２キー領域は、前記筐体の前記第１の辺とは異なる第２の辺に沿った領域である請求項３に記載の電子機器。
【請求項５】
前記タッチスクリーンに積層され、画像を表示するディスプレイをさらに備える請求項１から請求項４のいずれか一項に記載の電子機器。
【請求項６】
前記ディスプレイは、前記第１キー領域と重なる領域に前記第１キーを表示し、前記第２キー領域と重なる領域に前記第２キーを表示する請求項５に記載の電子機器。
【請求項７】
前記第１キーは、少なくとも１つの第２キーが紐付けられており、
前記コントローラは、前記第１キーへの接触を検知すると、接触を検知した前記第１キーに対応付けられた前記第２キーのそれぞれに紐付けられた少なくとも１つの文字を前記第２キー領域に表示させる請求項６に記載の電子機器。
【請求項８】
前記少なくとも１つの文字は、文字列を含む請求項７に記載の電子機器。
【請求項９】
前記コントローラは、前記第１キーへの接触を検知した場合、接触を検知した前記第１キーに紐付けられた前記第２キーのいずれかに紐付けられた前記少なくとも１つの文字を、入力候補の文字として選択する請求項７または請求項８に記載の電子機器。
【請求項１０】
前記コントローラは、前記第１キーへの接触を検知した後に、他の前記第１キーへの接触を検知した場合、前記入力候補の文字を、接触を検知した他の第１キーに紐付けられた前記第２キーのいずれかに紐付けられた前記少なくとも１つの文字に変更する請求項９に記載の電子機器。
【請求項１１】
前記コントローラは、
前記第２キーへの接触を検知した場合、接触を検知した前記第２キーに割り当てられた少なくとも１つの文字を入力候補の文字として選択する請求項７から請求項１０のいずれか一項に記載の電子機器。
【請求項１２】
前記コントローラは、前記第２キーへの接触を検知した後に、他の前記第２キーへの接触を検知した場合、前記入力候補の文字を、接触を検知した他の第２キーに紐付けられた前記少なくとも１つの文字に変更する請求項１１に記載の電子機器。
【請求項１３】
前記ディスプレイは、文字を表示する文字領域を含み、
前記コントローラは、前記入力候補の文字を前記ディスプレイの前記文字領域に表示する請求項９から請求項１２のいずれか一項に記載の電子機器。
【請求項１４】
物理キーを備え、
前記コントローラは、前記入力候補が選択された状態で、前記物理キーの操作を検出した場合、選択された前記入力候補の少なくとも１つの文字を入力する少なくとも１つの文字に決定する請求項９から請求項１３のいずれか一項に記載の電子機器。
【請求項１５】
前記タッチスクリーンは、第３のキーが対応付けられた第３キー領域を含み、
前記第３キー領域は、前記第１の縁及び前記第２の縁の少なくとも一方に沿った領域であり、前記第３のキーは、前記第３キー領域が沿っている縁に沿って配置されている前記第１キー及び前記第２キーの少なくとも一方と並んでいる請求項９から請求項１４のいずれか一項に記載の電子機器。
【請求項１６】
前記コントローラは、前記第３のキーへの接触が検出されると、選択された前記入力候補の文字を決定する請求項１５に記載の電子機器。
【請求項１７】
前記コントローラは、前記入力候補が選択された状態で、所定のジェスチャを検出した場合、選択された前記入力候補の少なくとも１つの文字を入力する少なくとも１つの文字に決定する請求項９から請求項１６のいずれか一項に記載の電子機器。
【請求項１８】
前記コントローラは、前記第１キーもしくは前記第２キーへの接触が所定時間継続した場合、前記所定のジェスチャとして検出する請求項１７に記載の電子機器。
【請求項１９】
前記コントローラは、前記第１キーの外もしくは前記第２キーの外への接触を検出した後、所定のジェスチャを検出した場合、選択された前記入力候補の少なくとも１つの文字を入力する少なくとも１つの文字に決定する請求項９から請求項１８のいずれか一項に記載の電子機器。
【請求項２０】
前記所定のジェスチャは、前記第１キーの外もしくは前記第２キーの外でのタッチである請求項１９に記載の電子機器。
【請求項２１】
タッチスクリーンを備える電子機器が実行する制御方法であって、
前記タッチスクリーンに複数の第１キーが対応付けられた第１キー領域と複数の第２キーが対応付けられた第２キー領域を設定し、
前記タッチスクリーンの前記第１キー領域と前記第２キー領域で検出したキーに対する操作に基づいて文字入力処理を実行し、
前記第１キー領域は、前記タッチスクリーンの第１の縁に沿った領域であり、
複数の前記第１キーは、前記第１の縁に沿って並び、
前記第２キー領域は、前記タッチスクリーンの前記第１の縁とは異なる第２の縁に沿った領域であり、
複数の前記第２キーは、前記第２の縁に沿って並ぶ文字入力制御方法。
【請求項２２】
筐体と前記筐体に配置されたタッチスクリーンを備える電子機器が実行する制御方法であって、
前記タッチスクリーンに複数の第１キーが対応付けられた第１キー領域と複数の第２キーが対応付けられた第２キー領域を設定し、
前記タッチスクリーンの前記第１キー領域と前記第２キー領域で検出したキーに対する操作に基づいて文字入力処理を実行し、
前記第１キー領域は、前記筐体の第１の縁に沿った領域であり、
複数の前記第１キーは、前記第１の縁に沿って並び、
前記第２キー領域は、前記筐体の第１の縁とは異なる第２の縁に沿った領域であり、
複数の前記第２キーは、前記第２の縁に沿って並ぶ文字入力制御方法。
【請求項２３】
タッチスクリーンを備える電子機器に、
前記タッチスクリーンに複数の第１キーが対応付けられた第１キー領域と複数の第２キーが対応付けられた第２キー領域を設定させ、
前記タッチスクリーンの前記第１キー領域と前記第２キー領域で検出したキーに対する操作に基づいて文字入力処理を実行させ、
前記第１キー領域は、前記タッチスクリーンの第１の縁に沿った領域であり、
複数の前記第１キーは、前記第１の縁に沿って並び、
前記第２キー領域は、前記タッチスクリーンの前記第１の縁とは異なる第２の縁に沿った領域であり、
複数の前記第２キーは、前記第２の縁に沿って並ぶ文字入力プログラム。
【発明の詳細な説明】
【技術分野】
【０００１】
本出願は、電子機器、文字入力制御方法、及び文字入力プログラムに関する。
【背景技術】
【０００２】
電子機器には、タッチスクリーンを搭載したものがある。例えば、特許文献１には、タッチスクリーンを介して検出した操作に応じて各種の機能を実行する電子機器が開示されている。
【先行技術文献】
【特許文献】
【０００３】
【特許文献１】国際公開第２００８／０８６３０２号
【発明の概要】
【発明が解決しようとする課題】
【０００４】
上記の電子機器では、タッチスクリーンを用いた文字入力の技術に改善の余地がある。
【課題を解決するための手段】
【０００５】
１つの態様に係る電子機器は、複数の第１キーが対応付けられた第１キー領域と複数の第２キーが対応付けられた第２キー領域とを含むタッチスクリーンと、前記タッチスクリーンの前記第１キー領域と前記第２キー領域で検出したキーに対する操作に基づいて文字入力処理を実行するコントローラと、を備え、前記第１キー領域は、前記タッチスクリーンの第１の縁に沿った領域であり、複数の前記第１キーは、前記第１の縁に沿って並び、前記第２キー領域は、前記タッチスクリーンの前記第１の縁とは異なる第２の縁に沿った領域であり、複数の前記第２キーは、前記第２の縁に沿って並ぶ。
【０００６】
１つの態様に係る電子機器は、筐体と、複数の第１キーが対応付けられた第１キー領域と複数の第２キーが対応付けられた第２キー領域とを含むタッチスクリーンと、前記タッチスクリーンの前記第１キー領域と前記第２キー領域で検出した操作に基づいて処理を実行するコントローラと、を備え、前記第１キー領域は、前記筐体の第１の縁に沿った領域であり、複数の前記第１キーは、前記筐体に沿って並び、前記第２キー領域は、前記筐体の前記第１の縁とは異なる第２の縁に沿った領域であり、複数の前記第２キーは、前記第２の縁に沿って並ぶ。
【０００７】
１つの態様に係る文字入力制御方法は、タッチスクリーンを備える電子機器が実行する制御方法であって、前記タッチスクリーンに複数の第１キーが対応付けられた第１キー領域と複数の第２キーが対応付けられた第２キー領域を設定し、前記タッチスクリーンの前記第１キー領域と前記第２キー領域で検出したキーに対する操作に基づいて文字入力処理を実行し、前記第１キー領域は、前記タッチスクリーンの第１の縁に沿った領域であり、複数の前記第１キーは、前記第１の縁に沿って並び、前記第２キー領域は、前記タッチスクリーンの前記第１の縁とは異なる第２の縁に沿った領域であり、複数の前記第２キーは、前記第２の縁に沿って並ぶ。
【０００８】
１つの態様に係る文字入力制御方法は、筐体と前記筐体に配置されたタッチスクリーンを備える電子機器が実行する制御方法であって、前記タッチスクリーンに複数の第１キーが対応付けられた第１キー領域と複数の第２キーが対応付けられた第２キー領域を設定し、前記タッチスクリーンの前記第１キー領域と前記第２キー領域で検出したキーに対する操作に基づいて文字入力処理を実行し、前記第１キー領域は、前記筐体の第１の縁に沿った領域であり、複数の前記第１キーは、前記第１の縁に沿って並び、前記第２キー領域は、前記筐体の第１の縁とは異なる第２の縁に沿った領域であり、複数の前記第２キーは、前記第２の縁に沿って並ぶ。
【０００９】
１つの態様に係る文字入力プログラムは、タッチスクリーンを備える電子機器に、前記タッチスクリーンに複数の第１キーが対応付けられた第１キー領域と複数の第２キーが対応付けられた第２キー領域を設定させ、前記タッチスクリーンの前記第１キー領域と前記第２キー領域で検出したキーに対する操作に基づいて文字入力処理を実行させ、前記第１キー領域は、前記タッチスクリーンの第１の縁に沿った領域であり、複数の前記第１キーは、前記第１の縁に沿って並び、前記第２キー領域は、前記タッチスクリーンの前記第１の縁とは異なる第２の縁に沿った領域であり、複数の前記第２キーは、前記第２の縁に沿って並ぶ。
【図面の簡単な説明】
【００１０】
【図１】図１は、実施形態に係るスマートフォンの斜視図である。
【図２】図２は、スマートフォンの正面図である。
【図３】図３は、スマートフォンの背面図である。
【図４】図４は、スマートフォンのブロック図である。
【図５】図５は、タッチスクリーンにおける検出構成の例を示す図である。
【図６】図６は、第１キーデータの一例を示す図である。
【図７】図７は、第２キーデータの一例を示す図である。
【図８】図８は、第１キーデータの一例を示す図である。
【図９】図９は、第２キーデータの一例を示す図である。
【図１０】図１０は、表示画面の一例を示す図である。
【図１１】図１１は、スマートフォンによる制御の例の処理手順を示すフローチャートである。
【図１２】図１２は、表示画面の一例を示す図である。
【図１３】図１３は、表示画面の一例を示す図である。
【図１４】図１４は、表示画面の一例を示す図である。
【図１５】図１５は、表示画面の一例を示す図である。
【図１６】図１６は、スマートフォンによる制御の例の処理手順を示すフローチャートである。
【図１７】図１７は、スマートフォンによる制御の例の処理手順を示すフローチャートである。
【図１８】図１８は、スマートフォンによる制御の例の処理手順を示すフローチャートである。
【図１９】図１９は、スマートフォンによる制御の例の処理手順を示すフローチャートである。
【図２０】図２０は、電子機器の他の例の正面図である。
【発明を実施するための形態】
【００１１】
本出願に係る電子機器、文字入力制御方法、及び文字入力プログラムを実施するための複数の実施形態を、図面を参照しつつ詳細に説明する。以下では、携帯電子機器の例として、スマートフォンについて説明する。
【００１２】
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１３】
スマートフォン１は、タッチスクリーンディスプレイ２と、ボタン（キー）３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１４】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。ここで、タッチスクリーンディスプレイ２は、矩形形状であり、４つの辺２Ｃ、２Ｄ、２Ｅ、２Ｆが、ハウジング２０のサイドフェイス１Ｃ１〜１Ｃ４のそれぞれに隣接している。タッチスクリーンディスプレイ２は、辺２Ｃがハウジング２０のサイドフェイス１Ｃ４と隣接している。タッチスクリーンディスプレイ２は、辺２Ｄがハウジング２０のサイドフェイス１Ｃ３と隣接している。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト」又は「接触物」と呼ぶことがある。
【００１７】
タッチスクリーン２Ｂの検出方式は、静電容量方式、抵抗膜方式、表面弾性波方式、及び荷重検出方式等の任意の方式でよい。以下の説明では、説明を簡単にするため、利用者はスマートフォン１を操作するために指を用いてタッチスクリーン２Ｂに接触するものと想定する。
【００１８】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００１９】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂが接触を検出し、検出された接触に基づいてジェスチャの種別をスマートフォン１がＸと判別すること」を、「スマートフォンがＸを検出する」、又は「コントローラがＸを検出する」と記載することがある。
【００２０】
図４は、スマートフォン１のブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、気圧センサ１９とを有する。
【００２１】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、接触を検出する。コントローラ１０は、スマートフォン１に対するジェスチャを検出する。具体的には、コントローラ１０は、タッチスクリーン２Ｂと協働することによって、タッチスクリーン２Ｂ（タッチスクリーンディスプレイ２）に対する操作（ジェスチャ）を検出する。
【００２２】
図５に示すように、タッチスクリーン２Ｂは、複数の第１電極２Ｂ１と、複数の第２電極２Ｂ２とを含む。複数の第１電極２Ｂ１は、タッチスクリーン２Ｂの長辺方向に延在する電極である。複数の第２電極２Ｂ２は、タッチスクリーン２Ｂの短辺方向に延在する電極である。複数の第１電極２Ｂ１と複数の第２電極２Ｂ２とは、マトリックス状に交差している。第１電極２Ｂ１と第２電極２Ｂ２とが交差する部分は、タッチスクリーン２Ｂの検出点６０である。タッチスクリーン２Ｂは、複数の検出点６０を含む。複数の検出点６０は、スマートフォン１がタッチスクリーン２Ｂにおける接触物の接触位置（接触点）を特定する場合に用いられる。複数の検出点６０は、マトリックス状に位置している。
【００２３】
タッチスクリーン２Ｂは、導電性の接触物が第１電極２Ｂ１と第２電極２Ｂ２とに近づくと、当該接触物と電極間に容量結合が発生する。タッチスクリーン２Ｂは、容量結合が発生した電極間の検出点６０の検出値が変化する。図５に示す例では、タッチスクリーン２Ｂは、接触物の接触点７０付近の検出点６０の検出値が、他の検出点６０の検出値よりも大きくなる。このため、スマートフォン１は、変化した検出点６０の検出値に基づいて、タッチスクリーン２Ｂにおける接触物の接触点７０を検出することができる。
【００２４】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２５】
ボタン３Ａ〜３Ｃは、例えば、ホームボタン、バックボタン又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００２６】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、一つのセンサとして構成されていてもよい。照度センサ４は、近接センサとして用いられてもよい。
【００２７】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００２８】
レシーバ７及びスピーカ１１は、音を出力する出力部の１つの例である。レシーバ７及びスピーカ１１は、コントローラ１０から送信される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部の１つの例である。マイク８は、利用者の音声等を音信号へ変換してコントローラ１０へ送信できる。
【００２９】
ストレージ９は、プログラム及びデータを記憶できる。ストレージ９は、コントローラ１０の処理結果を一時的に記憶する作業領域として利用してよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３０】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３１】
ストレージ９は、例えば、制御プログラム９Ａ、入力プログラム９Ｂ、第１キーデータ９Ｃ、第２キーデータ９Ｄ、条件データ９Ｅを記憶する。
【００３２】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能には、加速度センサ１５及び気圧センサ１９等を制御することによって、スマートフォン１を所持する利用者の移動、停止等を検出する機能が含まれる。制御プログラム９Ａが提供する機能は、算出アプリケーション及び電話アプリケーション等の他のプログラムが提供する機能と組み合わせて利用されることがある。
【００３３】
入力プログラム９Ｂは、スマートフォン１へのテキスト（文字）入力するための機能を提供できる。入力プログラム９Ｂは、第１キー領域に第１キーを表示させ、第２キー領域に第２キーを表示させ、文字入力を実現する。具体的な文字入力の方法については、後述する。入力プログラム９Ｂは、他の入力方法で文字入力をできる機能を備えていてもよい。
【００３４】
第１キーデータ９Ｃは、入力プログラム９Ｂで設定される第１キー領域に表示する第１キーの情報を含む。第２キーデータ９Ｄは、入力プログラム９Ｂで設定される第２キー領域に表示する第２キーの情報を含む。第２キーデータ９Ｄは、第１キーデータ９Ｃに対応付けられたキーのデータである。
【００３５】
以下、図６及び図７を用いて、第１キーデータ９Ｃと第２キーデータ９Ｄの一例を説明する。図６は、第１キーデータの一例を示す図である。図７は、第２キーデータの一例を示す図である。図６及び図７は、日本語の「かな」入力を行う場合のデータの一例である。第１キーデータ９Ｃは、第１キー領域に含まれる第１キーに対して、表示画像と入力候補が対応付けられている。例えば、第１キーの１には、表示画像「あ行」と入力候補「あ」が対応付けられている。第１キーの２には、表示画像「か行」と入力候補「か」が対応付けられている。第２キーデータ９Ｄは、第２キー領域に含まれる第２キーに対して、第１キーとの対応が記憶されている。第２キーとして対応付けられている複数の文字が表示画像となり、複数の文字のいずれかが入力候補となる。例えば、第１キーが「あ行」には、第２キーの１に、「あ」、第２キーの２に、「い」、第２キーの３に、「う」、第２キーの４に、「え」、第２キーの５に、「お」、第２キーの６に、「改行」が対応付けられている。ここで、改行、削除等は、入力する文字ではなく、文字入力で実行する処理となる。
【００３６】
以下、図８及び図９を用いて、第１キーデータ９Ｃと第２キーデータ９Ｄの一例を説明する。図８は、第１キーデータの一例を示す図である。図９は、第２キーデータの一例を示す図である。図８及び図９は、アルファベット入力を行う場合のデータの一例である。第１キーデータ９Ｃは、第１キー領域に含まれる第１キーに対して、表示画像と入力候補が対応付けられている。例えば、第１キーの１には、表示画像「ａｂｃ」と入力候補「ａ」が対応付けられている。第１キーの２には、表示画像「ｄｅｆ」と入力候補「ｄ」が対応付けられている。第２キーデータ９Ｄは、第２キー領域に含まれる第２キーに対して、第１キーとの対応が記憶されている。第２キーとして対応付けられている複数の文字が表示画像となり、複数の文字のいずれかが入力候補となる。例えば、第１キーが「ａｂｃ」には、第２キーの１に、「ａ」、第２キーの２に、「ｂ」、第２キーの３に、「ｃ」、第２キーの４に、「Ａ」、第２キーの５に、「Ｂ」、第２キーの６に、「Ｃ」が対応付けられている。
【００３７】
第１キーデータ９Ｃと第２キーデータ９Ｄのキーの対応付けと表示と文字入力との関係は後述する。ここで、上記実施形態では、キーに対して１つの文字を対応付けたが、キーに対して、単語、文章等を含む２つ以上の文字の文字列を対応付けてもよい。例えば、「あ行」に対応する第２キーの１つに入力候補として「ありがとうございます」、「明日」を対応つけてもよい。また２つ以上の文字が意味をなしていない文字の組み合わせでもよい。
【００３８】
条件データ９Ｅは、入力プログラム９Ｂで処理を実行する各種条件が設定されている。具体的には、条件データ９Ｅは、検出したタッチジェスチャと実行する処理との対応関係や、プログラムの条件、停止条件等が設定されている。
【００３９】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御できる。コントローラ１０の各種機能は、コントローラ１０の制御に基づいて実現される。
【００４０】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、方位センサ１６、ジャイロスコープ１７、及び気圧センサ１９を含むが、これらに限定されない。
【００４１】
コントローラ１０は、例えば、制御プログラム９Ａまたは入力プログラム９Ｂを実行することにより、タッチスクリーン２Ｂを介して検出されたジェスチャに応じて、ディスプレイ２Ａに表示されている情報を変更する等の各種制御を実行できる。
【００４２】
カメラ１２は、フロントフェイス１Ａに面している物体を撮影するインカメラである。カメラ１３は、バックフェイス１Ｂに面している物体を撮影するアウトカメラである。
【００４３】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４４】
加速度センサ１５は、スマートフォン１に働く加速度の方向及び大きさを検出できる。方位センサ１６は、地磁気の向きを検出できる。ジャイロスコープ１７は、スマートフォン１の角度及び角速度を検出できる。気圧センサ１９は、スマートフォン１に作用する気圧を検出できる。加速度センサ１５、方位センサ１６、ジャイロスコープ１７、及び気圧センサ１９の検出結果は、スマートフォン１の位置及び姿勢の変化を検出するために、組み合わせて利用される。
【００４５】
図４においてストレージ９が記憶するプログラム及びデータの一部又は全部は、通信ユニット６による無線通信で他の装置からダウンロードされてもよい。図４においてストレージ９が記憶するプログラム及びデータの一部又は全部は、ストレージ９に含まれる読み取り装置が読み取り可能な非一過的な記憶媒体に記憶されていてもよい。図４においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４６】
図４に示したスマートフォン１の構成は例であり、本発明の要旨を損なわない範囲において適宜変更してよい。例えば、ボタン３の数と種類は図４の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えるが、スマートフォン１は、１つのカメラのみを備えてもよいし、カメラを備えなくてもよい。図４に示した例では、スマートフォン１が位置及び姿勢を検出するために４種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００４７】
次に、図１０から図１５を用いて、スマートフォン１による文字入力処理について説明する。図１０は、表示画面の一例を示す図である。スマートフォン１は、入力プログラム９Ｂを用いて文字入力処理を実行する場合、図１０に示す画面を表示させる。図１０に示す画面は、第１キー領域４０と、第２キー領域４２と、状態通知欄４４と、終了キー４６と、入力テキスト表示欄４８と、決定キー４９と、を含む。
【００４８】
第１キー領域４０は、タッチスクリーンディスプレイ２の辺２Ｃに沿って設けられており、辺２Ｃに隣接している。つまり、第１キー領域４０は、ハウジング２０のサイドフェイス１Ｃ４に隣接している。第１キー領域４０は、複数の第１キー５０ａ、５０ｂ、５０ｃ、５０ｄ、５０ｅ、５０ｆ、５０ｇ、５０ｈ、５０ｉ、５０ｊが表示されている。本実施形態の複数の第１キー５０ａ、５０ｂ、５０ｃ、５０ｄ、５０ｅ、５０ｆ、５０ｇ、５０ｈ、５０ｉ、５０ｊは、辺２Ｃに沿って、画面上側から下側に列状に配置される。ここで、本実施形態の複数の第１キー５０ａ、５０ｂ、５０ｃ、５０ｄ、５０ｅ、５０ｆ、５０ｇ、５０ｈ、５０ｉ、５０ｊは、それぞれの第１キーに第１キーデータ９Ｃの１から１０の内容が対応付けられている。したがって、第１キー５０ａには、第１キーデータ９Ｃの１の情報が対応付けられ、「かな」入力の場合、「あ行」の画像が表示される。
【００４９】
第２キー領域４２は、タッチスクリーンディスプレイ２の辺２Ｄに沿って設けられており、辺２Ｄに隣接している。つまり、第２キー領域４２は、ハウジング２０のサイドフェイス１Ｃ３に隣接している。第２キー領域４２は、第１キー領域４０とは異なる辺、本実施形態では向かい合う辺に配置されている。第２キー領域４２は、複数の第２キー５２ａ、５２ｂ、５２ｃ、５２ｄ、５２ｅ、５２ｆ、５２ｇ、５２ｈ、５２ｉ、５２ｊが表示されている。本実施形態の複数の第２キー５２ａ、５２ｂ、５２ｃ、５２ｄ、５２ｅ、５２ｆ、５２ｇ、５２ｈ、５２ｉ、５２ｊは、辺２Ｄに沿って、画面上側から下側に列状に配置される。ここで、本実施形態の複数の第２キー５２ａ、５２ｂ、５２ｃ、５２ｄ、５２ｅ、５２ｆ、５２ｇ、５２ｈ、５２ｉ、５２ｊは、それぞれの第２キーに第２キーデータ９Ｄの１から１０の内容が対応付けられている。したがって、第２キー５２ａには、第２キーデータ９Ｄの１の情報が対応付けられ、「かな」入力であり、第１キー５０ａの「あ行」が選択されている場合、「あ」の画像が表示される。
【００５０】
状態通知欄４４は、入力候補として選択している文字が表示される。終了キー４６は、テキスト入力の終了操作が対応付けられているキーである。入力テキスト表示欄４８は、入力された文字を表示させる欄である。図１０では、入力テキスト表示欄４８に、入力された文字列「ありがとう」が表示されている。なお、図１０の文字列は一例である。決定キー４９は、入力候補の文字を入力する文字として決定する操作が対応付けられているキーである。決定キー４９は、辺２Ｃと辺２Ｄの両方に接している。決定キー４９は、第１キー領域４０と第２キー領域４２の両方と接している。なお、決定キー４９の配置位置はこれに限定されない。
【００５１】
次に、図１１から図１５を参照しながら、スマートフォン１による文字入力に関する制御の処理手順について説明する。図１１は、スマートフォン１による制御の例の処理手順を示すフローチャートである。図１２から図１５は、それぞれ表示画面の一例を示す図である。図１１に示す処理手順は、コントローラ１０が入力プログラム９Ｂを実行することによって実現される。また、図１１に示す処理は、入力プログラム９Ｂの文字入力機能が起動されている状態で実行される処理である。
【００５２】
図１１に示すように、スマートフォン１のコントローラ１０は、タッチを検出する（ステップＳ１２）。コントローラ１０は、タッチを検出した場合、第１キーへのタッチであるかを判定する（ステップＳ１４）。コントローラ１０は、第１キーへのタッチである（ステップＳ１４でＹｅｓ）と判定した場合、タッチを検出したキーに対応する第２キーを表示する（ステップＳ１６）。つまり、第２キーデータからタッチを検出した第１キーに対応するデータを抽出し、抽出した第２キーデータを第２キー領域４２の複数の第２キーのそれぞれに表示させる。次に、コントローラ１０は、入力候補を決定し（ステップＳ１８）、決定した入力候補を表示させる（ステップＳ２０）。具体的には、コントローラ１０は、第１キーデータ９Ｃからタッチを検出した第１キーに対応する入力候補の情報を取得し、取得した入力候補を入力候補として決定し、表示させる。
【００５３】
一例としては、コントローラ１０は、第１キーデータ９Ｃが選択されていない場合、タッチスクリーンディスプレイ２には、図１２に示すように、第１キー領域４０の各第１キー５０ａ〜５０ｊに第１キーデータ９Ｃの各キーの情報を対応付け、各キーの表示が画像を表示させる。第１キーが選択されてない場合、第２キー領域４２の第２キー５２ａ〜５２ｊは、キーの外形だけ表示され、内部に文字が表示されない。例えば、コントローラ１０は、図１２に示す状態から、第１キー５０ａでタッチを検出した場合、図１３に示すように、第２キー領域４２の第２キー５２ａ〜５２ｊのそれぞれに第２キーデータ９Ｄの「あ行」に対応する第２キーを対応付ける。また、第１キー５０ａの「あ行」に対応する「あ」を入力候補に決定し、状態通知欄４４に「「あ」を選択中」と、入力候補の文字の情報を表示する。また、コントローラ１０は、入力テキスト表示欄４８に、入力候補の文字で未確定の「あ」を表示する。
【００５４】
また、第１キー５０ａ〜５０ｊのいずれかが選択され、別の第１キー５０ａ〜５０ｊが選択された場合も同様の処理が実行される。例えば、コントローラ１０は、図１３に示す状態から、第１キー５０ｃでタッチを検出した場合、図１４に示すように、第２キー領域４２の第２キー５２ａ〜５２ｊのそれぞれに第２キーデータ９Ｄの「さ行」に対応する第２キーを対応付ける。また、第１キー５０ｃの「さ行」に対応する「さ」を入力候補に決定し、状態通知欄４４に「「さ」を選択中」と、入力候補の文字の情報を表示する。また、コントローラ１０は、入力テキスト表示欄４８に、入力候補の文字で未確定の「さ」を表示する。
【００５５】
コントローラ１０は、第１キーへのタッチではない（ステップＳ１４でＮｏ）と判定した場合、第１キー選択状態であるかを判定する（ステップＳ２２）。つまり、第１キー５０ａ〜５０ｊのいずれかが選択され、第２キー領域４２の第２キー５２ａ〜５２ｊに、選択された第１キーに対応する第２キーを表示している状態であるかを判定する。
【００５６】
コントローラ１０は、第１キー選択状態である（ステップＳ２２でＹｅｓ）と判定した場合、第２キーへのタッチかを判定する（ステップＳ２４）。コントローラ１０は、第２キーへのタッチである（ステップＳ２４でＹｅｓ）と判定した場合、タッチされた第２キーを入力候補に決定し（ステップＳ２６）、決定した入力候補を表示させる（ステップＳ２８）。コントローラ１０は、例えば、図１３に示す状態から、第２キー５２ｃへのタッチを検出した場合、図１５に示すように、第２キー５２ｃの「う」を入力候補に決定し、状態通知欄４４に「「う」を選択中」と、入力候補の文字の情報を表示する。また、コントローラ１０は、入力テキスト表示欄４８に、入力候補の文字で未確定の「う」を表示する。
【００５７】
コントローラ１０は、第２キーへのタッチではない（ステップＳ２４でＮｏ）と判定した場合、決定指示であるかを判定する（ステップＳ３０）。具体的には、決定キー４９へのタッチであるかを判定する。コントローラ１０は、決定指示である（ステップＳ３０でＹｅｓ）と判定した場合、入力候補を入力する文字に決定する（ステップＳ３２）。
【００５８】
コントローラ１０は、第１キー選択状態ではない（ステップＳ２２でＮｏ）または決定指示ではない（ステップＳ３０でＮｏ）と判定した場合、終了指示であるかを判定する（ステップＳ３４）。つまり、コントローラ１０は終了キー４６へのタッチであるかを判定する。コントローラ１０は、終了指示である（ステップＳ３４でＹｅｓ）と判定した場合、文字入力を終了する（ステップＳ３６）。また、コントローラ１０は、終了指示ではない（ステップＳ３４でＮｏ）と判定した場合、検出したタッチを無効（ステップＳ３８）とする。
【００５９】
スマートフォン１は、以上のように、タッチスクリーンディスプレイ２の２つの辺（ハウジング２０のサイドフェイス１Ｃ３，１Ｃ４）に沿って、それぞれ第１キー領域４０と第２キー領域４２を設け、設置された辺に沿って、第１キー５０ａ〜５０ｊ、第２キー５２ａ〜５２ｊを列状に配置することで、タッチスクリーンディスプレイ２の辺に沿って指を動かすことで、入力するキーを変化させることができる。このため、文字のキーを２次元配列してタッチスクリーンディスプレイ２に表示させる場合よりもキーの配置がわかりやすくなり、入力を簡単にすることができる。これにより、タッチしている領域を確認しない状態でも、キーの入力がしやすくできる。
【００６０】
このように、スマートフォン１は、物理的に位置が明確な領域の端となる辺に沿ってキーを配置することで、画面の文字を認識できない状態、例えば視覚障害がある場合や、画面を見ることができない状況の場合でも高い精度で文字を入力することができる。
【００６１】
スマートフォン１は、第１キー領域４０と第２キー領域４２を設け、第２キー領域４２には、第１キー領域で選択された第１キーに対応する第２キーを表示させることで、それぞれの領域の役割をわかりやすくすることができ、入力を簡単にすることができる。また、キーを線状に配置することで、例えば、キーを２次元配列状に並べる場合よりも、配置規則を簡単に理解することができる。
【００６２】
スマートフォン１は、第１キー領域４０と第２キー領域４２を対向する２辺に設けることで、両手を用いた文字入力操作がしやすくなる。
【００６３】
また、スマートフォン１は、第１キー領域４０、第２キー領域４２の各キーに対応する位置のハウジング２０に目印となる突起を設けてもよい。突起を設けることで、キーのどこを触っているかを認識しやすくすることができ、入力を補助することができる。
【００６４】
スマートフォン１は、決定キー４９が配置されている領域が第３キー領域となり、決定キー４９が第３キーとなる。スマートフォン１は、決定キー４９を設けることで入力候補の決定操作をしやすくすることができる。なお、決定キー４９の配置位置はこれに限定されないが、第１キー領域４０及び第２キー領域４２の少なくとも一方と接し、第１キー及び第２キーの少なくとも一方と並んで配置されていることが好ましい。第１キー及び第２キーの少なくとも一方と並んで配置させることで、決定キーの位置を把握しやすくすることができる。
【００６５】
ここで、上記実施形態では、決定ボタンへのタッチを決定指示として検出したがこれに限定されない。図１６は、スマートフォンによる制御の例の処理手順を示すフローチャートである。図１６に示す処理は、コントローラ１０が入力プログラム９Ｂを処理することで実現することができる。図１６に示す処理は、図１１に示す処理と並行で処理することができる。
【００６６】
コントローラ１０は、入力候補があるかを判定する（ステップＳ４２）。コントローラ１０は、入力候補がある（ステップＳ４２でＹｅｓ）と判定した場合、第１キーまたは第２キーの外の領域への操作があるかを判定する（ステップＳ４４）。つまり、第１キー領域４０及び第２キー領域４２以外の領域への操作があるかを判定する。コントローラ１０は、第１キーまたは第２キーの外の領域への操作がある（ステップＳ４４でＹｅｓ）と判定した場合、所定のジェスチャを検出したかを判定する（ステップＳ４６）。所定のジェスチャは、あらかじめ設定された操作であり、所定の位置へのタップ、フリック、ダブルタップ等が例示される。所定の位置へのタップとしては、第１キー領域４０及び第２キー領域４２以外の領域へのタップが例示される。コントローラ１０は、所定のジェスチャを検出した（ステップＳ４６でＹｅｓ）と判定した場合、入力候補を入力する文字に決定する（ステップＳ４８）。
【００６７】
コントローラ１０は、入力候補がない（ステップＳ４２でＮｏ）、第１キーまたは第２キーの外の領域への操作がない（ステップＳ４４でＮｏ）、または、所定のジェスチャを検出していない（ステップＳ４６でＮｏ）と判定した場合、ステップＳ４２に戻り、ステップＳ４２の処理を再び実行する。
【００６８】
スマートフォン１は、以上のように、第１キーまたは第２キーの外の領域への操作と所定のジェスチャの組み合わせを決定操作としてもよい。また、スマートフォン１は、以上のように、第１キーまたは第２キーの外の領域への操作または所定のジェスチャのいずれか決定操作としてもよい。
【００６９】
図１７は、スマートフォンによる制御の例の処理手順を示すフローチャートである。図１７は、スマートフォンによる制御の例の処理手順を示すフローチャートである。図１７に示す処理は、コントローラ１０が入力プログラム９Ｂを処理することで実現することができる。図１７に示す処理は、図１１に示す処理及び図１６に示す処理と並行で処理することができる。
【００７０】
コントローラ１０は、入力候補があるかを判定する（ステップＳ５２）。コントローラ１０は、第１キーまたは第２キーへの操作が一定時間継続していない（ステップＳ５２でＮｏ）と判定した場合、ステップＳ５２に戻り、ステップＳ５２の処理を再び実行する。コントローラ１０は、入力候補がある（ステップＳ５２でＹｅｓ）と判定した場合、第１キーまたは第２キーへの操作が一定時間継続しているかを判定する（ステップＳ５４）。つまり、第１キー領域４０及び第２キー領域４２の領域への操作が一定時間継続しているロングタップであるかを判定する。コントローラ１０は、第１キーまたは第２キーへの操作が一定時間継続している（ステップＳ５４でＹｅｓ）と判定した場合、入力候補を入力する文字に決定する（ステップＳ５６）。コントローラ１０は、第１キーまたは第２キーへの操作が一定時間継続していない（ステップＳ５４でＮｏ）と判定した場合、ステップＳ５２に戻り、ステップＳ５２の処理を再び実行する。スマートフォン１は、以上のように、第１キーまたは第２キーへのロングタップを決定操作としてもよい。
【００７１】
図１８は、スマートフォンによる制御の例の処理手順を示すフローチャートである。図１８に示す処理は、コントローラ１０が入力プログラム９Ｂを処理することで実現することができる。図１８に示す処理は、図１１に示す処理、図１６に示す処理及び図１７に示す処理と並行で処理することができる。
【００７２】
コントローラ１０は、入力候補があるかを判定する（ステップＳ６２）。コントローラ１０は、入力候補がない（ステップＳ６２でＮｏ）と判定した場合、ステップＳ６２に戻り、ステップＳ６２の処理を再び実行する。コントローラ１０は、入力候補がある（ステップＳ６２でＹｅｓ）と判定した場合、物理キーへの操作があるかを判定する（ステップＳ６４）。つまり、ボタン３への操作があるかを判定する。コントローラ１０は、ボタン３への操作がある（ステップＳ６４でＹｅｓ）と判定した場合、入力候補を入力する文字に決定する（ステップＳ６６）。コントローラ１０は、ボタン３への操作がない（ステップＳ６４でＮｏ）と判定した場合、ステップＳ６２に戻り、ステップＳ６２の処理を再び実行する。スマートフォン１は、以上のように、物理キーへの操作を決定操作としてもよい。
【００７３】
また、スマートフォン１は、入力候補の文字や入力されたテキストを音声出力することが好ましい。入力されたテキストとは、本実施形態では入力テキスト表示欄４８に表示されているテキスト（文字列）である。スマートフォン１は、例えば、図１０に示す状態で入力されたテキストを音声出力する所定の操作が入力された場合、入力されたテキストである「ありがとう」を音声出力することが好ましい。また、スマートフォン１は、図１３に示す状態で入力された入力候補の文字を音声出力する所定の操作が入力された場合、入力されたテキストである「あ」を音声出力することが好ましい。
【００７４】
図１９は、スマートフォンによる制御の例の処理手順を示すフローチャートである。図１９に示す処理は、コントローラ１０が入力プログラム９Ｂを処理することで実現することができる。図１９に示す処理は、図１１に示す処理、図１６に示す処理、図１７に示す処理及び図１８に示す処理と並行で処理することができる。
【００７５】
コントローラ１０は、タッチを検出した場合（ステップＳ７２）、第１キーまたは第２キーへの操作であるかを判定する（ステップＳ７４）。コントローラ１０は、第１キーまたは第２キーへの操作である（ステップＳ７４でＹｅｓ）と判定した場合、入力候補の文字を音声出力する（ステップＳ７６）。
【００７６】
コントローラ１０は、第１キーまたは第２キーへの操作ではない（ステップＳ７４でＮｏ）と判定した場合、読み上げキーへの操作であるかを判定する（ステップＳ７８）。具体的には、コントローラ１０は、第２キー５２ｊへの操作であるかを判定する。コントローラ１０は、読み上げキーへの操作である（ステップＳ７８でＹｅｓ）と判定した場合、入力済みテキストを音声出力する（ステップＳ８０）。コントローラ１０は、読み上げキーへの操作ではない（ステップＳ７８でＮｏ）と判定した場合、本処理を終了する。
【００７７】
スマートフォン１は、入力候補の文字または入力した文字列、本実施形態では入力テキスト表示欄４８に表示されているテキスト（文字列）を音声出力させることで、画面の表示を確認できない状況でも、選択している文字また入力した文字を確認することができる。なお、入力候補の文字は、入力候補の文字が変化するたびに音声出力してもよいが、設定した規則を満たす場合または設定された操作を実行した場合に音声出力するようにしてもよい。
【００７８】
ここで、本実施形態では、ディスプレイ２Ａに第１キー及び第２キーの画像を表示させたが、これに限定されない。スマートフォン１は、上述した第１キー領域、第２キー領域に対応する位置にキーの入力を割り当てればよく、画像を非表示としてもよい。つまり、タッチスクリーン２Ｂが各領域で入力を検出した場合に、キー入力として検出すればよく、タッチスクリーン２Ｂが各領域に第１キー領域、第１キー、第２キー領域及び第２キーを対応付ければよい。したがって、電子機器は、ディスプレイ２Ａに画像を表示していない状態で文字入力を有効としてもよいし、電子機器がディスプレイ２Ａを備えていなくてもよい。また、電子機器は、画像を表示させない場合、上述したキーの操作を検出した際の音声出力を実行することが好ましい。
【００７９】
本出願の開示する実施形態は、発明の要旨及び範囲を逸脱しない範囲で変更することができる。さらに、本出願の開示する実施形態及びその変形例は、適宜組み合わせることができる。例えば、上記の実施形態は、以下のように変形してもよい。
【００８０】
例えば、図４に示した各プログラムは、複数のモジュールに分割されていてもよいし、他のプログラムと結合されていてもよい。
【００８１】
上記の実施形態では、タッチスクリーン２Ｂを備える電子機器の例として、スマートフォン１について説明したが、添付の請求項に係る電子機器は、スマートフォンに限定されない。添付の請求項に係る電子機器は、スマートフォン以外の携帯電子機器であってもよい。携帯電子機器は、例えば、モバイルフォン、タブレット、携帯型パソコン、デジタルカメラ、スマートウォッチ、メディアプレイヤ、電子書籍リーダ、ナビゲータ、及びゲーム機を含むが、これに限定されない。
【００８２】
図２０は、電子機器の他の例の正面図である。図２０に示す電子機器１０１は、ハウジング１０１ａ及びタッチスクリーンディスプレイ１０２の外縁が円となる。電子機器１０１は、ハウジング１０１ａ及びタッチスクリーンディスプレイ１０２の外縁の異なる位置のそれぞれに、第１キー領域１１０と第２キー領域１１２が設けられる。このように、ハウジング１０１ａ及びタッチスクリーンディスプレイ１０２の外縁が円となる場合も外縁に沿って、第１キー領域１１０と第２キー領域１１２とを設けることで、タッチしている領域を確認しない状態でも、キーの入力がしやすくできる。また、図２０では、辺を備えない電子機器としてハウジング、タッチスクリーンディスプレイ１０２、タッチスクリーンとディスプレイの外形（外縁）の形状を円形としたが、これに限定されない。電子機器は、ハウジング、タッチスクリーンディスプレイ１０２、タッチスクリーンとディスプレイの外形（外縁）の形状を楕円としてもよい。また、電子機器は、ハウジング、タッチスクリーンディスプレイ１０２、タッチスクリーンとディスプレイの外形（外縁）の形状を、矩形以外の多角形としてもよいし、円弧と直線を組み合わせた形状としてもよい。
【００８３】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【００８４】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  入力プログラム
９Ｃ  第１キーデータ
９Ｄ  第２キーデータ
９Ｅ  条件データ
１０  コントローラ
１１  スピーカ
１２、１３  カメラ
１４  コネクタ
１５  加速度センサ
１６  方位センサ
１７  ジャイロスコープ
１９  気圧センサ
２０  ハウジング
【図１】
2020035484.tif 000003
【図２】
2020035484.tif 000004
【図３】
2020035484.tif 000005
【図４】
2020035484.tif 000006
【図５】
2020035484.tif 000007
【図６】
2020035484.tif 000008
【図７】
2020035484.tif 000009
【図８】
2020035484.tif 000010
【図９】
2020035484.tif 000011
【図１０】
2020035484.tif 000012
【図１１】
2020035484.tif 000013
【図１２】
2020035484.tif 000014
【図１３】
2020035484.tif 000015
【図１４】
2020035484.tif 000016
【図１５】
2020035484.tif 000017
【図１６】
2020035484.tif 000018
【図１７】
2020035484.tif 000019
【図１８】
2020035484.tif 000020
【図１９】
2020035484.tif 000021
【図２０】
2020035484.tif 000022
【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
タッチスクリーンと、
前記タッチスクリーンの第１の縁に沿って並ぶ複数の第１のソフトウェアキーと、
前記タッチスクリーンの第２の縁に沿って並ぶ複数の第２のソフトウェアキーと、
５０音図の各行を複数の前記第１のソフトウェアキーのそれぞれに割り当て、前記第１のソフトウェアキーに対する操作を検出すると、検出した前記第１のソフトウェアキーに対応する行の各段の仮名を、複数の前記第２のソフトウェアキーのそれぞれに割り当てるコントローラと、
を備える電子機器。
【請求項２】
タッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器が実行する文字入力制御方法であって、
５０音図の各行を複数の前記第１のソフトウェアキーのそれぞれに割り当て、前記第１のソフトウェアキーに対する操作を検出すると、検出した前記第１のソフトウェアキーに対応する行の各段の仮名を、複数の前記第２のソフトウェアキーのそれぞれに割り当てる文字入力制御方法。
【請求項３】
タッチスクリーンと、前記タッチスクリーンの第１の縁に沿って並ぶ複数の第１のソフトウェアキーと、前記タッチスクリーンの第２の縁に沿って並ぶ複数の第２のソフトウェアキーと、を備える電子機器に、
５０音図の各行を複数の前記第１のソフトウェアキーのそれぞれに割り当て、前記第１のソフトウェアキーに対する操作を検出すると、検出した前記第１のソフトウェアキーに対応する行の各段の仮名を、複数の前記第２のソフトウェアキーのそれぞれに割り当てる処理を実行させる文字入力プログラム。